(57)【要約】【課題】２液混合型薬液バッグからの薬液排出方法に関し、未開通の状態では投与の禁止を確実に行い得るようにすることを目的とする。【解決手段】  ２液混合式のバッグの一端が閉鎖された筒状の薬液排出口の内部に内蓋22を設け、内蓋22をそれに接触する液体のpHに感応して拡縮する水素イオン濃度感知体24と、水素イオン濃度感知体24を上下より挟着保持する硬質プラスチック薄板にて形成された円板状部材26, 28とから構成する。pH感知体24は弱シールが未開通の状態では薬液バッグ10の第２隔室に収容されたアルカリ性薬液により拡径し薬液排出口20の内周面に強固に密着することにより薬液バッグ10の内部空洞を外部に対して密閉し、輸液セットの穿刺針50の挿入を阻止する。弱シール部の開通により薬液の混合が行われたことによる中性の水素イオン濃度値に感応し、薬液排出口20の内周面との密着を解消し、穿刺針50０の挿入を許容するように構成される。【選択図】図２
2005278748.tif 000002
【特許請求の範囲】
【請求項１】
軟弱フィルム状素材にて形成された薬液バッグの内部空洞を隔壁手段により複数の隔室に区画し、それぞれの隔室に別々の薬液を封入すると共に、隔壁手段の開通により薬液の混合が行われたことを混合前から混合後の薬液の化学特性の変化により検出する検出手段と、その検出に至るまでは薬液バッグからの薬液の排出を禁止する薬液排出禁止手段とを準備し、薬液の混合を前記検出手段により検出後に薬液投与禁止手段を無効として、薬液バッグからの薬液の排出を可能とする薬液排出方法。
【請求項２】
軟弱フィルム状素材にて形成され、その内部空洞を隔壁手段により複数の隔室に区画し、それぞれの隔室に別々の薬液を封入して構成される薬液バッグと、前記隔壁手段の開通により薬液の混合が行われたことを混合前から混合後の薬液の化学特性の変化により検出する検出手段と、その検出に至るまでは薬液バッグからの薬液の排出を禁止する薬液排出禁止手段とを具備して成り、薬液の混合を前記検出手段により検出後に薬液排出禁止手段を無効として、薬液の排出を許容せしめる薬液排出システム。
【請求項３】
軟弱フィルム状素材にて形成され、その内部空洞を隔壁手段により複数の隔室に区画し、それぞれの隔室に別々の薬液を封入して構成される薬液バッグと、隔室の一つに近接するように設けられ、薬液バックの内部空洞を通常は閉鎖し、穿刺型薬液排出具が挿通されることにより薬液バッグ中の薬液を排出を許容する閉鎖部材とよりなり、前記閉鎖部材はそれが近接する一つの隔室に収容される薬液の化学特性に応動して、薬液の分離状態における薬液バッグの内部空洞への穿刺型薬液排出具のアクセスを阻止する状態と、薬液の混合状態における薬液バッグの内部空洞への穿刺型薬液排出具のアクセスを許容する状態との間において状態変化することを特徴とする薬液収納封止体。
【請求項４】
軟弱フィルム状素材にて形成された薬液バッグの内部空洞を隔壁手段により複数の隔室に区画し、それぞれの隔室に別々の薬液を収容すると共に閉鎖部材により閉鎖された薬液バッグからの薬液の排出のため前記閉鎖部材に穿刺される針状部を備えた穿刺型薬液排出具であって、前記排出具における薬液通路に薬液の化学特性に応動して薬液通路の開閉を行なう開閉手段を設け、前記開閉手段は、薬液バッグの隔壁手段により薬液バッグ中の薬液が分離状態を維持している間は薬液通路を閉鎖し、隔壁手段が開通されることにより薬液が混合後は薬液通路を開放する穿刺型薬液排出具。
【発明の詳細な説明】
【技術分野】
【０００１】
この発明は複数薬液を分離状態で薬液バッグのそれぞれの隔室に収容しておき、点滴や透析時に隔室間の弱シール部を開通させ、薬液を混合して使用するようにした薬液バッグからの薬液排出方法及びシステム、薬液収容封止体並びに穿刺型薬液排出具に関するものである。
【背景技術】
【０００２】
点滴や透析などのための医療用混合型薬液封止体として２液若しくは３液以上の多液混合型のものがある。多液混合型薬液封止体においては、軟弱フィルムを素材とする薬液バッグの内部空洞は弱シール部によってそれぞれ異なった薬液を収容する複数の隔室に分離されている。薬液バッグの外周には、プラスチック成型品としての薬液排出口が設けられ、薬液排出口は筒状に形成され、その内部空洞は一端側で一方の隔室に開口しているが、他端にはゴム栓が設けられている。患者への薬液の投与に先立って薬液バッグを外側から加圧することによって弱シール部が開通せしめられ、薬液バッグの内部空洞は一室となるため２種類の薬液は混合され、点滴用チューブに接続された輸液セットの穿刺針によりゴム栓を穿刺し、薬液バッグよりの薬液の投与が可能となる。そして、この種の医療用混合型薬液封止体においては薬液の投与に先立って弱シール部の開通を行うことにより両液を混合せしめる作業は必須であり、他方、弱シール部の開通を行わないままで薬液排出口におけるゴム栓の穿刺を行うと、薬液排出口側の隔室における薬液のみが投与されてしまうという誤操作の可能性があった。この問題点に対処する従来技術として、薬液バッグの内部空洞を二つの隔室に分離する第１の弱シール部に加えて、薬液排出口の直前に第２の弱シール部を設け、第１の弱シール部の開通に要する圧力に対して第２の第２の弱シール部を同等若しくはそれ以上とすることにより、薬液の混合後に排出が行われるようにしたものが提案されている（特許文献１参照）。
【特許文献１】特開２００４−６６１号公報
【発明の開示】
【発明が解決しようとする課題】
【０００３】
特許文献１の技術は二つの隔室を分離する第１の弱シール部に加えて薬液排出口の直前に第２の弱シール部を設け、これらの弱シール部を順次開通させることで未混合のままの薬液の投与は防止しうるが、弱シール部を２個所設けているため、製造工程が複雑化し、コスト増となり、ユーザ側に２段階の加圧による開通作業を強いることになり、作業性としては必ずしも良くなかった。また、薬液バッグの加圧の仕方によっては第１の弱シール部→第２の弱シール部の順序によって必ずしも開通されるとは限らず、薬液排出口側の第２の弱シール部が先に開通されてしまうと、投与作業にそのまま移行してしまう可能性があり、この場合は未混合で１液のみ投与されてしまう結果となる。
【０００４】
この発明は以上の問題点に鑑みてなされてものであり、未開通の状態では投与を行い得ない２液混合型の薬液バッグの新規な構造を提供し、製造コストが低廉でありかつユーザ側の作業性が良好であるにもかかわらず、１液のみが投与されてしまうという誤操作の可能性をより確実に排除することを目的とする。
【課題を解決するための手段】
【０００５】
請求項１に記載の発明によれば、軟弱フィルム状素材にて形成された薬液バッグの内部空洞を隔壁手段により複数の隔室に区画し、それぞれの隔室に別々の薬液を封入すると共に、隔壁手段の開通により薬液の混合が行われたことを混合前から混合後の薬液の化学特性の変化により検出する検出手段と、その検出に至るまでは薬液バッグからの薬液の排出を禁止する薬液排出禁止手段とを準備し、薬液の混合を前記検出手段により検出後に薬液投与禁止手段を無効として、薬液バッグからの薬液の排出を可能とする薬液排出方法が提供される。
【０００６】
請求項２に記載の発明によれば、軟弱フィルム状素材にて形成され、その内部空洞を隔壁手段により複数の隔室に区画し、それぞれの隔室に別々の薬液を封入して構成される薬液バッグと、前記隔壁手段の開通により薬液の混合が行われたことを混合前から混合後の薬液の化学特性の変化により検出する検出手段と、その検出に至るまでは薬液バッグからの薬液の排出を禁止する薬液排出禁止手段とを具備して成り、薬液の混合を前記検出手段により検出後に薬液排出禁止手段を無効として、薬液の排出を許容せしめる薬液排出システムが提供される。
【０００７】
請求項３に記載の発明によれば、軟弱フィルム状素材にて形成され、その内部空洞を隔壁手段により複数の隔室に区画し、それぞれの隔室に別々の薬液を封入して構成される薬液バッグと、隔室の一つに近接するように設けられ、薬液バックの内部空洞を通常は閉鎖し、穿刺型薬液排出具が挿通されることにより薬液バッグ中の薬液を排出を許容する閉鎖部材とよりなり、前記閉鎖部材はそれが近接する一つの隔室に収容される薬液の化学特性に応動して、薬液の分離状態における薬液バッグの内部空洞への穿刺型薬液排出具のアクセスを阻止する状態と、薬液の混合状態における薬液バッグの内部空洞への穿刺型薬液排出具のアクセスを許容する状態との間において状態変化することを特徴とする薬液収納封止体が提供される。
【０００８】
請求項４に記載の発明によれば、軟弱フィルム状素材にて形成された薬液バッグの内部空洞を隔壁手段により複数の隔室に区画し、それぞれの隔室に別々の薬液を収容すると共に閉鎖部材により閉鎖された薬液バッグからの薬液の排出のため前記閉鎖部材に穿刺される針状部を備えた穿刺型薬液排出具であって、前記穿刺型薬液排出具における薬液通路に薬液の化学特性に応動して薬液通路の開閉を行なう開閉手段を設け、前記開閉手段は、薬液バッグの隔壁手段により薬液バッグ中の薬液が分離状態を維持している間は薬液通路を閉鎖し、隔壁手段が開通されることにより薬液が混合後は薬液通路を開放する穿刺型薬液排出具が提供される。
【発明の効果】
【０００９】
この発明によれば、水素イオン濃度(pH)値などの薬液の化学特性の変化を検出することにより薬液の搬出禁止と排出許可とを切り替えているため、隔壁手段が開放されるまでは薬液の排出を確実に阻止し、未混合の薬液が誤投与される可能性を完全に排除することができる。
【発明を実施するための最良の形態】
【００１０】
図１において、薬液バッグ１０は厚さ２００ミクロンといったポリプロピレンフィルムなどの軟弱フィルムを素材とする。ポリプロピレンレンフィルムの外周はその軟化温度より十分高い１２０℃といった高温にて加圧されることにより形成された強シール部１２により封止され、上面から見て矩形の袋状をなしている。強シール部１２には懸垂孔１３が穿設され、この懸垂孔１３によって薬液バッグ１０を点滴台などに吊り下げ保持し、点滴や透析作業を行うことになる。
【００１１】
薬液バッグ１０の長さ方向における中間部位において全幅にわたって弱シール部１４が延びており、弱シール部１４によって薬液バッグ１０の表裏面が接着され、薬液バッグ１０の内部空洞は第１隔室１６と第２隔室１８とに区画される。弱シール部１４がこの発明の隔室手段を構成し、隔壁手段としては弱シール部１４以外にフランジジグルピンなどの隔室部材（隔壁治具）も含まれる。第１隔室１６に第１薬液が充填され、第２隔室１８に第２薬液が充填される。弱シール部１４は薬液バッグ１０を形成するポリプロピレンフィルムの表裏面をその軟化温度よりやや高い１１０℃といった相対的に低温にて加圧することにより形成される。そのため、第１隔室１６と第２隔室１８にそれぞれの薬液を収容した状態で隔室16, 18の部位において薬液バッグ１０における薬液を外側より加圧することにより、強シール部１２はそのままに弱シール部１４を破壊・開通せしめ、第１薬液と第２薬液との混合を行うことができる。透析用の補充液の場合、第１薬液はブドウ糖を主体にし塩化カルシュームなどを含み、pH=4.0といった酸性に調整され、第２薬液は塩化ナトリウムを主体にpH=9.0といったアルカリ性に調整されている。そして、混合によりpH=7.4といった血液のpH相当値となる。しかしながら、第１薬液と第２薬液とを混合後長時間経過すると不溶性の異物を生ずることがあるため、投与直前に第１薬液と第２薬液との混合を行なうべく、直前の事前作業として弱シール部１４の開通を行なってから投与が行われる。また、投与直前に弱シール部１４の開通作業が必要な旨の注意書が薬液バッグ１０の表面に印刷されている。しかしながら、弱シール部１４の開通を怠る誤作業の恐れはあり、この場合は第２隔室１８の薬液のみが投与されてしまう可能性がある。この発明の第１の実施形態は、弱シール部１４の開通の有無を第１薬液と第２薬液との混合による水素イオン濃度(pH)の変化を検出し、混合があったと判断された場合にのみ透析や点滴の作業に移行が可能となるように薬液バッグ１０からの薬液排出部の構成に工夫を加えたものである。
【００１２】
薬液排出口２０は一端20-1が閉鎖した筒状をなし、ポリプロピレンなどのプラスチック（薬液バッグ１０との密着性を得るため薬液バッグと同一プラスチック素材とする必要がある）の成形品で構成される。薬液バッグ１０の表裏面を形成するプラスチックフィルムは薬液排出口２０を上下より挟みつつ加熱密着され、これにより薬液排出口２０に近接した側の隔室１８の封止が行われている。薬液排出口２０の内部に閉鎖部材としての内蓋２２（この発明の薬液排出禁止手段）が設けられる。内蓋２２はそれに接触する液体の水素イオン濃度(pH)に応動する水素イオン濃度感応伸縮部材（所謂形状記憶素子）を備えており、通常は薬液排出口２０の内周面に強固に密着することにより薬液バッグ１０の内部空洞を外部に対して密閉し、点滴チューブから延びる輸液セットの穿刺針５０（この発明の穿刺型薬液排出具）の挿入を阻止するが、弱シール部１４の開通により薬液の混合が行われたことによる水素イオン濃度の変化に感応し、薬液排出口２０の内周面との密着を解消し、穿刺針５０の挿入を許容するように構成される。即ち、図２に示すように、内蓋２２はそれに接触する液体の水素イオン濃度に感応して拡縮する円板形状の水素イオン濃度感知体２４（薬液の混合が行われたことを混合前から混合後の薬液の化学特性の変化により検出する本発明の検出手段を構成する）と、水素イオン濃度感知体２４を上下より挟着保持する硬質プラスチック製薄板にて形成された円板状部材26, 28とから構成される。円板状部材26, 28としては硬質プラスチック以外にも素材を問わず、場合によっては金属薄板を使用することも可能である。薬液バッグ１０の内部空洞側（図２の上側）の円板状部材２６は多数の液体流通孔２６Ａを備えたメッシュ状に構成され、液体流通孔２６Ａは薬液バッグ１０内の薬液の自由流通に支障を及ぼさない内径(0.5〜1.0mm程度)に設定される。薬液バッグ１０の外側（図２の下側）の円板状部材２８は無垢の硬質プラスチック薄板であり、輸液セットの穿刺針５０を挿入しても突き破られないような硬度及び肉厚のものであれば素材は問わない。硬質プラスチックを素材としても0.5〜1.0ミリメートル程度の肉厚を有していればこの目的には十分適合しうる。図２に示すように円板状部材26, 28は薬液排出口２０の筒状部20-2の内径より幾分小さな内径をなしており、水素イオン濃度感知体２４の対向面に接着剤などの適当な手段により強固に貼着されている。水素イオン濃度感知体２４は薬液バッグ１０の弱シール部１４が未開通時の第２室１８の薬液の水素イオン濃度値（アルカリ性）と薬液バッグ１０の弱シール部１４が開通後の混合の薬液の水素イオン濃度値（略中性）との間の水素イオン濃度値を閾値に拡縮を行うものである。即ち、水素イオン濃度感知体２４はそれに接触する液体の水素イオン濃度値が閾値（例えばpH=8.0）より大きいアルカリ性のときは、図２（イ）に示すようにその外径が薬液排出口２０の筒状部20-2の内径に密着・固着した拡径状態をとる。然るに、水素イオン濃度感知体２４に接触する液体の水素イオン濃度値が閾値（例えばpH=8.0）より小さくなり中性値（pH=7.4）となると、水素イオン濃度感知体２４は、図２（ロ）に示すようにその外径が薬液排出口２０の筒状部20-2の内径離間した縮径状態をとる。
【００１３】
水素イオン濃度感知体２４としては水素イオン濃度値によってその体積を変化する高分子ゲルが知られており、高分子ゲルとしてはアクリルアミド共重合体両性ゲルより成るもの等がある。この種のアクリルアミド共重合体両性ゲルにおいてはpH＝7.0近傍の中性状態において最小の体積を呈し、中性状態から酸側の水素イオン濃度値の溶液に浸した場合でもアルカリ側水素イオン濃度値の溶液に浸した場合のいづれの場合にあっても体積が増加する。即ち、pH＝7.0近傍ではアニオンとカチオンとのイオン架橋のため収縮状態にあるが、ゲルを酸若しくはアルカリ側に移すとイオン架橋が切断され、ゲルが膨潤する（「機能性ゴム・ エラストマーの新展開」株式会社東レリサーチセンター発行69〜84ページ1997年６月発行参照）。また、特許２９４５９６６号の明細書にはアクリルアミド共重合体よりなるマイクロビーズの製造方法が開示されているが、この発明の実施形態の水素イオン濃度感知体２４としてはこのようなマイクロビーズを型内で焼結し、円板形状に成形することができる。焼結構造とすることにより液体を水素イオン濃度感知体２４中に速やかに浸透させ、水素イオン濃度値が中性から変化した場合の確実な体積変化を行わしめることができる。
【００１４】
弱シール部１４の未開通時はアルカリ性の第２室１８の薬液は硬質プラスチック円板２６の液体流通孔２６Ａを介して水素イオン濃度感知体２４に浸され、水素イオン濃度感知体２４は膨張され、その外周は図２（イ）に示すように薬液排出口２０の筒状部20-2の内径に密着・固着される。点滴作業のため、薬液バッグ１０は懸垂孔１３によって点滴台などに吊り下げ保持され、点滴チューブから延びる輸液セットの穿刺針５０がゴム製の薬液排出口２０のフランジ部20-1に刺入される。しかしながら、穿刺針５０の先端は水素イオン濃度感知体２４の下面の硬質プラスチック円板２８に当たり、それを突き破ることができなく、また水素イオン濃度感知体２４が薬液排出口２０に固着され（薬液排出口２０に対する水素イオン濃度感知体２４の固着は薬液排出口２０が筒状部20-2の内周の突起部20-3に係合することにより確実化され）、内蓋２２を押し開けることができない。
【００１５】
弱シール部１４の開通時は混合された中性の薬液が硬質プラスチック円板２６の液体流通孔２６Ａを介して水素イオン濃度感知体２４に浸され、水素イオン濃度感知体２４は図２（ロ）に示すように収縮され、その外周は薬液排出口２０の筒状部20-2の内径から離間される。したがって、フランジ部20-1に刺入される穿刺針５０の先端に係合することにより内蓋２２は矢印ａのように押し上げられ、薬液バッグ１０中に押し出される。そのため、薬液バッグ１０内の混合薬液を輸液セットより排出することができる。
【００１６】
図３は第２の実施形態の内蓋１２２を示しており、図２と同様に、内蓋１２２はそれに接触する液体のpHに感応する水素イオン濃度感知体１２４と、水素イオン濃度感知体１２４を上下より挟着保持する硬質プラスチック薄板にて形成された円板状部材126, 128とから構成される。円板状部材126, 128はその中心に開口126A, 128Aを備える。水素イオン濃度感知体１２４はそれに接触する薬液の水素イオン濃度値に応じて中心が閉鎖した図３（イ）の状態と中心に開口124Aを形成した図３（ロ）の状態とを切り替わるものである。水素イオン濃度感知体１２４の素材としては第１実施形態に準じたものである。この実施形態では、穿刺針５０はフランジ部（図１のフランジ部20-1に相当する）に最も深く刺入されてもその先端は水素イオン濃度感知体１２４に届かないようにされている。
【００１７】
図３に示す第２の実施形態の動作を説明すると、弱シール部１４の未開通時はアルカリ性の第２室１８の薬液により、水素イオン濃度感知体１２４は中心が完全閉鎖した（イ）の状態をとる。そのため、薬液バッグ１０の内部空洞を閉鎖され、薬液排出口２０のフランジ部20-1に輸液セットの穿刺針５０を刺入しても薬液の排出は行いえない。これに対して、弱シール部１４の開通時は水素イオン濃度感知体１２４は図３（ロ）に示すように中心に開口部124Aを形成するため薬液バッグ１０の内部空洞は開放される。そのため、薬液バッグ１０内の混合薬液を輸液セットより排出することができる。
【００１８】
図４は第３の実施形態を示しており、この第３の実施形態においては薬液排出口２２０自体が 水素イオン濃度感知拡縮素材にて形成される（薬液排出口２２０は本発明における検出手段であると共に薬液排出禁止手段でもある）。即ち、薬液排出口２２０は薬液バッグの内部空洞に向けて延びた先端部220-1を備えており、薬液排出口２２０の先端部220-1はそれに接触する薬液の水素イオン濃度値に応じてその長さが伸びた図４（イ）の状態とその長さが収縮した図４（ロ）の状態とを切り替わるものである。
【００１９】
図４に示す第３の実施形態の動作を説明すると、弱シール部１４の未開通時はアルカリ性の第２室１８の薬液により、薬液排出口２２０は先端部220-1が伸張した（イ）の状態をとる。この伸張状態では輸液セットの穿刺針５０を薬液排出口２２０に最も深く刺入しても、その先端が薬液バッグの内部空洞に突出することができず、薬液の排出は行いえない。これに対して、弱シール部１４の開通時は薬液排出口２２０は先端部が220-1Aに示すように収縮した（ロ）の状態をとる。この収縮状態では輸液セットの穿刺針５０を薬液排出口２２０に刺入することにより、その先端を薬液バッグの内部空洞に突出させ、薬液の排出を行うことができる。
【００２０】
図５は第４の実施形態を示し、この実施形態においては第３の実施形態と同様に薬液排出口３２０自体が水素イオン濃度感知拡縮素材にて形成されるが、水素イオン濃度値に応じて硬軟変化するのが特徴である。即ち、弱シール部１４の未開通時はアルカリ性の第２室１８の薬液により、薬液排出口３２０は硬化（密実構造化）し、この硬化状態では図５（イ）に示すように輸液セットの穿刺針５０を薬液排出口３２０に刺入しようとしても、刺入することができず、薬液の排出は行いえない。これに対して、弱シール部１４の開通時は中性の薬液が薬液排出口３２０に接触することにより薬液排出口３２０は軟化（網目構造化）し、この軟化状態では図５（ロ）に示すように輸液セットの穿刺針５０を薬液排出口３２０に刺入するができ、薬液の排出を行うことができる。
【００２１】
図６は第５の実施形態を示し、この実施形態においては輸液セットの穿刺針４５０（この発明の穿刺型薬液排出具）に水素イオン濃度感知開閉部450-1（本発明における検出手段であると共に薬液排出禁止手段でもある）を設けている。即ち、この水素イオン濃度感知開閉部450-1は水素イオン濃度感知拡縮素材にて形成され、それに接触する液体がアルカリ性の状態においては穿刺針４５０は図６（イ）に示すように水素イオン濃度感知開閉部450-1の内径＝０となるように収縮し、薬液バッグからの薬液の排出は行いえない。これに対して、弱シール部１４の開通時は中性の薬液がpH感知開閉部450-1に作用することにより水素イオン濃度感知開閉部は図６（ロ）の450-1Aに示すように全開となり、薬液バッグからの薬液の排出を行うことができる。
【００２２】
以上の実施形態においては薬液バッグの弱シール部の開閉を薬液の水素イオン濃度(pH)を感知することにより行っているが、水素イオン濃度の代わりに薬液中の形状記憶素材に接触する薬液中には含まれるが混合後の薬液には含まれない特定のイオン（例えば第２室１８に存在するが混合薬液には存在しないナトリウムイオン）の検知によって弱シール部の開閉を検知してもよい。また、薬液の混合状態と未混合状態とで温度が変化するものでは温度によって形態が変化する素材を使用することもできる。
【００２３】
また、以上の実施形態においては薬液バッグの懸架状態において下側（輸液セットの穿刺針５０の側）に位置する第２室１８でのアルカリ性の薬液を検知することにより弱シール開通の有無を判断しているが、酸性の第１室１６を輸液セットの穿刺針５０の側（下側）とし、酸性と中性とで形態を変化させることで、弱シール部開通の有無を判断させるようにしてもよい。
【図面の簡単な説明】
【００２４】
【図１】図１はこの発明の医療用混合型薬液封止体(未開通状態)の平面図である。
【図２】図２はこの発明の第１実施形態における薬液排出口の概略的断面図であり、（イ）は閉鎖時、（ロ）は排出時を示す。
【図３】図３はこの発明の第２実施形態における薬液排出口の概略的断面図であり、（イ）は閉鎖時、（ロ）は排出時を示す。
【図４】図４はこの発明の第３実施形態における薬液排出口の概略的断面図であり、（イ）は閉鎖時、（ロ）は排出時を示す。
【図５】図５はこの発明の第４実施形態における薬液排出口の概略的断面図であり、（イ）は閉鎖時、（ロ）は排出時を示す。
【図６】図６はこの発明の第５実施形態における薬液排出口の概略的断面図であり、（イ）は閉鎖時、（ロ）は排出時を示す。
【符号の説明】
【００２５】
１０…薬液バッグ
１２…強シール部
１３…懸垂孔
１４…弱シール部
１６…第１隔室
１８…第２隔室
20, 120, 220, 320…薬液排出口
２２…内蓋
２４…水素イオン濃度(pH)感知体
26, 28…円板状部材
50, 450…穿刺針
【図１】
2005278748.tif 000003
【図２】
2005278748.tif 000004
【図３】
2005278748.tif 000005
【図４】
2005278748.tif 000006
【図５】
2005278748.tif 000007
【図６】
2005278748.tif 000008